(57)【要約】【課題】      重心位置や慣性モーメントを調節するのに、殻の壁面に対して垂直にねじを立てる構造では、ねじの重心とヘッドの重心が近づき、調整効率が低下する。ウエイト収納室を作り、ねじの軸線をサイド部の壁面よりも内側にする構造では収納室自体の重量が大きくなり、設計自由度が制約される。【解決手段】  本発明のゴルフ用ウッドヘッドは、サイド部に少なくとも１つのねじ取付部を有し、ねじ取付部は、サイド部よりも膨らむ膨出部と、サイド部よりも凹む後退部と、膨出部と後退部の間にサイド部を構成する壁面かつグランドラインとほぼ平行にねじ軸線が設けられるねじ部と、周囲をねじ部で区画される孔部を有し、孔部の外端には、ねじを固定するための段付き部を有している。【選択図】        図４
2006204811.tif 000002
【特許請求の範囲】
【請求項１】
サイド部２に少なくとも１つのねじ取付部３を有するゴルフ用ウッドヘッド１であって、
前記ねじ取付部３は、サイド部２よりも膨らむ膨出部１１と、サイド部よりも凹む後退部１２と、前記膨出部１１と前記後退部１２の間にサイド部を構成する壁面かつグランドライン４とほぼ平行にねじ軸線１８が設けられるねじ部１６と、周囲を前記ねじ部１６で区画される孔部１０を有し、
前記孔部１０の外端には、ねじ１７を固定するための段付き部１４を有することを特徴とするゴルフ用ウッドヘッド１。
【請求項２】
２つのねじ取付部３を有し、シャフト軸線５とソール中心線６の交点を原点としグランドラインに投影したとき、一方の孔部はソール中心線に対して１５°以上６５°以下の範囲に設けられ、他方の孔部は−６５°以上−１５°以下に設けられたことを特徴とする請求項１のゴルフ用ウッドヘッド１。
【請求項３】
前記ねじ取付部３にねじ１７を取り付けたとき、前記ねじ１７の軸線の一部または全部がサイド部仮想線１５よりも外側にあることを特徴とする、請求項１のゴルフ用ウッドヘッド。
【請求項４】
前記ねじ取付部３にねじ１７を取り付けたとき、全長に亘って前記ねじ１７がサイド部仮想線１５よりも外側にあることを特徴とする、請求項１のゴルフ用ウッドヘッド。
【発明の詳細な説明】
【技術分野】
【０００１】
本発明は、中空部を有するゴルフ用ウッドヘッド本体のサイド部に、サイド部に沿うようにねじを着脱可能に配置することで、ヘッドの慣性モーメントや重心位置をゴルファーの好みに合わせて効率よく調整することを可能にしたゴルフ用ウッドヘッドに関する。
【背景技術】
【０００２】
従来のウッドヘッドにおいては、重量や重心、慣性モーメント等を調整する目的で、ねじを利用する技術が開示されている
【特許文献１】。また、効率よく慣性主軸の傾斜を調整するためにサイド部の壁面に対してねじの軸が平行状態になるように配置する技術が開示されている
【特許文献２】。
【特許文献１】特開平１１−９７４２号
【特許文献２】特開２００３−２３６０２５号
【発明の開示】
【発明が解決しようとする課題】
【０００３】
ところが、中空部を形成する壁面に対して垂直にねじを立てる構造では、調整重量が大きくなるとねじが長くなり、ねじの重心とヘッドの重心が近づき、重心や慣性モーメントの調整効率が低下するという問題を有していた。
【０００４】
また、ウエイト収納室を作り、ねじの軸線をサイド部の壁面よりも内側にする構造では、収納室自体の重量が大きくなり、ヘッド総質量の制約により、設計自由度が制約されるという問題点を有していた。
【０００５】
本発明は、かかる問題点を解決するために、ねじ取付部の質量増加を招くことなく、ねじサイド部外殻にほぼ平行になるように着脱可能に固定することができるゴルフ用ウッドヘッドを提供することを目的とする。
【課題を解決するための手段】
【０００６】
本発明に係わるゴルフ用ウッドヘッドは、１つの局面では、サイド部に少なくとも１つのねじ取付部を有するゴルフ用ウッドヘッドであって、ねじ取付部は、サイド部よりも膨らむ膨出部と、サイド部よりも凹む後退部と、膨出部と後退部の間にサイド部を構成する壁面かつグランドラインとほぼ平行にねじ軸線が設けられるねじ部と、周囲をねじ部で区画される孔部を有し、孔部の外端には、ねじを固定するための段付き部を有することを特徴とするゴルフ用ウッドヘッドである。
【０００７】
ここで、壁面にほぼ平行とは、サイド部に膨出部も後退部もないと仮定して設定されるサイド部仮想線上の、膨出開始点における接線に対してねじ軸線が１０°以内の角度であることをいう。グランドラインにたいしてほぼ平行とは、グランドラインとねじ軸線が１０°以内の角度であることをいう。測定はいずれも、ウッドヘッドを所定のライ角でアドレスした状態で測定するものとする。
【０００８】
また、ヘッドの慣性モーメントは、トウ−ヒール方向、ソール−クラウン方向共に大きい方が良いが、一般的にウッドヘッドでは、強度を必要とするフェース部が最も厚く、質量もフェース部に集中する。このため、ねじをトウやヒールのフェース近傍に配置すると、トウ−ヒール方向の慣性モーメントは大きくできるものの、ソール−クラウン方向の慣性モーメントが大きくできない。このため、ねじを取り付ける孔の位置は、シャフト軸線を含みグランドラインに垂直な平面とソール中心線の交点を原点として、原点と孔を結ぶ線をグランドラインに投影したときソール中心線に対して６５°以下の角度であることが望ましい。逆に、孔の位置が１５°以下になるとトウ−ヒール方向の慣性モーメントを大きくできないので、１５°以上にすると良い。
【０００９】
また、重心位置や慣性主軸の傾斜角度を調整するためには、ねじはソール中心線を挟んでトウ側とヒール側に少なくとも１つずつ配置することが望ましい。このとき、孔の位置はソール中心線に対して対称に準ずる位置に設けることは必要なく、各々が１５°以上６５°以下の位置にあればよい。
【００１０】
さらに、ヘッドの重心位置とねじの重心位置を離すために、ねじの一部がサイド部仮想線よりも外側になるように配置すると良い。さらに望ましくは、ねじ軸線の一部または全部がサイド部仮想線よりも外側に位置するように配置すると良い。
【発明の効果】
【００１１】
本発明に係わるゴルフ用ウッドヘッドは、ねじ取付部に使う質量を少なく抑えたので、設計自由度を確保することができ、さらにはねじ軸線がサイド部の壁面とグランドラインにほぼ平行になるように設けたので、効率的にトウ−ヒール方向の慣性モーメントとソール−クラウン方向の慣性モーメントを大きくすることができる。
【発明を実施するための最良の形態】
【００１２】
以下、本発明の実施の形態について説明する。本発明のゴルフ用ウッドヘッドは、サイド部２に少なくとも１つのねじ取付部３を有するゴルフ用ウッドヘッド１であって、ねじ取付部３は、サイド部２よりも膨らむ膨出部１１と、サイド部よりも凹む後退部１２と、膨出部１１と後退部１２の間にサイド部を構成する壁面かつグランドライン４とほぼ平行にねじ軸線１８が設けられるねじ部１６と、周囲をねじ部１６で区画される孔部１０を有し、孔部１０の外端には、ねじ１７を固定するための段付き部１４を有することを特徴とするゴルフ用ウッドヘッド１である。
【００１３】
膨出部１１と後退部１２の壁面が重なる部分を設け、前記壁面には雌ねじを形成したねじ部１６を設ける。ねじ部１６の最も外側には錘用ねじの頭に対応する形の窪みを形成する段付き部１４を設ける。
【００１４】
ねじ１７の材料にはタングステン、タングステン合金、鉄系合金、ステンレス合金、アルミ合金、銅、銅系合金、チタン、チタン系合金、あるいはその他の金属や樹脂を使用可能である。ねじ取付部３が複数存在する場合は、ねじの材料は同一でも良いし、目的に応じて別の材料を組み合わせて使用してもよい。
【実施例１】
【００１５】
図２に、本発明の実施例１におけるウッドヘッド１を示す。サイド部２の２個所にねじ取付部を設けた。シャフト軸線５を含みグランドラインに垂直な面とソール中心線６の交点とトウ部１０１側の孔部１０（Ｔ）を結ぶ線をグランドラインに投影したとき、前記ソール中心線６に対して２７°になるように孔部を設け、ヒール部１０２側の孔部１０（Ｈ）とソール中心線６との角度は３２°になるように設けた。
【００１６】
図３は、本発明の実施例である図１のゴルフ用ウッドヘッド１のＡ−Ａ’断面であり、図４はねじ取付部の拡大図である。ヒール部１０２側のねじ取付部３を例に説明する。サイド部２のフェース部１０５に近い側から、本来のサイド部の壁面であるサイド部仮想線１５よりも外側に隆起する膨出部１１が始まり、フェース部１０５から遠い側から、サイド部仮想線１５よりも中空部側に凹む後退部１２が始まり、前記膨出部１１の壁面と前記後退部１２の壁面は、各々の先端において一定の長さを有する孔部１０を構成する。
【００１７】
孔部１０には雌ねじが形成されたねじ部が設けられ、その先端には段付き部１４が設けられる。膨出部１１は他の物体との接触頻度が増すので、壁面の肉厚をサイド部２よりも厚くした。また、ねじ部１６はねじの締め付けによる負荷と段が設けられることを考慮して、前記膨出部１１よりもさらに肉厚を厚くした。本実施例では、ねじ部１６にはＭ６の雌ねじを設け、前記ねじ部の長さは１２ｍｍとした。また後退部１２の壁面は、肉厚を一定にしているが、質量に余裕があれば内側は滑らかに繋がるように連続した肉厚変化にしても良い。
【００１８】
本実施例においては、ねじ軸線１８は、膨出開始点７におけるサイド部仮想線１５に対する接線８に対して平行になるように設けた。トウ側に１０ｇ、ヒール側に６ｇのねじを取り付けて、ヘッドの重心を通りグランドラインに垂直な軸まわりの慣性モーメント（以下トウヒール慣性モーメントと称する）を測定したところ、４５５８ｇｃｍ２であった。その後、ウッドヘッド１から全てのねじを取り外し、２つの孔部１０にサイド部の殻に垂直に穴を開けて、各々の穴に各々のねじを挿入してトウヒール慣性モーメントを測定したところ、４４３９ｇｃｍ２であった。
【００１９】
このように、従来の手法であるねじ（錘）を壁面に対して垂直に立てるよりも、トウヒール慣性モーメントを効果的に増大せしめることが出来る。また、サイド部の殻が重なり合う長さをねじ取付部だけにすることができ、余分な質量を取られないので、ウッドヘッドの設計自由度を大きくすることができる。
【産業上の利用可能性】
【００２０】
本発明は、中空部を有するゴルフ用ヘッドに広く適用される。
【図面の簡単な説明】
【００２１】
【図１】本発明のウッドヘッドの実施例１である。
【図２】実施例１の底面図である。
【図３】実施例１のＡ−Ａ’線における断面図である。
【図４】実施例１のねじ取付部の拡大図である。
【符号の説明】
【００２２】
１  ウッドヘッド、２  サイド部、３  ねじ取付部、４  グランドライン、５  シャフト軸線、６  ソール中心線、７  膨出開始点、８  接線、  １０  孔部、１１  膨出部、１２  後退部、１３  厚肉部、１４  段付き部、１５  サイド部仮想線、１６  ねじ部、１７  ねじ、１８  ねじ軸線、１０１  トウ部、１０２  ヒール部、１０３  クラウン部、１０４  ソール部、１０５  フェース部
【図１】
2006204811.tif 000003
【図２】
2006204811.tif 000004
【図３】
2006204811.tif 000005
【図４】
2006204811.tif 000006